(57)【要約】      （修正有）【課題】高い精度で色調整を行うこと。【解決手段】インキキー毎に画線面積率が設定されている画線面積率情報を取得する取得部８２と、画線面積率が予め設定されている低画線閾値未満であるインキキーを低画線キーとして特定する特定部８３と、低画線キーに隣接する少なくとも一方のインキキーの画線面積率が、予め設定されている高画線閾値以上である場合に、当該低画線キーを間引き対象キーとして選定する第１の選定部８４と、間引き対象キーのインキキー開度をゼロに設定するとともに、該間引き対象キー以外のインキキーについては、その画線面積率に応じたインキキー開度を設定するインキキー開度設定部８６とを具備するインキキープリセット装置を提供する。【選択図】図８
2007203509.tif 000002
【特許請求の範囲】
【請求項１】
印刷幅方向に沿って設けられた複数のインキキーの各々に対してインキキー開度を設定するインキキープリセット装置であって、
前記インキキー毎に画線面積率が設定されている画線面積率情報を取得する取得手段と、
前記画線面積率が予め設定されている低画線閾値未満であるインキキーを低画線キーとして特定する特定手段と、
前記低画線キーに隣接する少なくとも一方のインキキーの画線面積率が、予め設定されている高画線閾値以上である場合に、当該低画線キーを間引き対象キーとして選定する第１の選定手段と、
前記間引き対象キーのインキキー開度をゼロに設定するとともに、該間引き対象キー以外のインキキーについては、その画線面積率に応じたインキキー開度を設定するインキキー開度設定手段と
を具備するインキキープリセット装置。
【請求項２】
前記インキキー開度設定手段により設定されたインキキー開度を修正する修正手段を備え、
前記修正手段は、前記低画線キーに隣接するインキキーのインキキー開度を、該低画線キーの画線面積率に応じて修正する請求項１に記載のインキキープリセット装置。
【請求項３】
前記低画線キーの連続数が予め設定されている所定数に達した場合に、または、連続する前記低画線キーにおけるインキ過多量の積算値が予め設定されている積算閾値以上となった場合に、連続する該低画線キーのうちの少なくとも１つを前記間引き対象キーとして選定する第２の選定手段を具備する請求項１または請求項２に記載のインキキープリセット装置。
【請求項４】
前記低画線キーの連続数が予め設定されている所定数に達した場合に、または、連続する前記低画線キーにおけるインキ過多量の積算値が予め設定されている積算閾値以上となった場合に、前記インキキー開度設定手段は、所定の周期で、ゼロと所定値とを所定のデューティ比で交互にとるように、各前記低画線キーのインキキー開度を設定する請求項１または請求項２に記載のインキキープリセット装置。
【請求項５】
前記インキキー開度設定手段は、前記低画線キーに隣接するインキキーの画線面積率がいずれもゼロであった場合に、所定の周期で、ゼロと所定値とを所定のデューティ比で交互にとるように、当該低画線キーのインキキー開度を設定する請求項１から請求項４のいずれかに記載のインキキープリセット装置。
【請求項６】
印刷幅方向に沿って設けられた複数のインキキーの各々に対してインキキー開度を設定するインキキープリセット装置であって、
前記インキキー毎に画線面積率が設定されている画線面積率情報を取得する取得手段と、
前記画線面積率が予め設定されている低画線閾値未満であるインキキーを低画線キーとして特定する特定手段と、
前記低画線キーについては、所定の周期で、ゼロと所定値とを所定のデューティ比で交互にとるようにインキキー開度を設定し、前記低画線キー以外のインキキーについては、当該インキキーの画線面積率に応じたインキキー開度を設定するインキキー開度設定手段と
を具備するインキキープリセット装置。
【請求項７】
前記インキキー開度設定手段は、前記所定の周期を、インキがインキ壷から印刷用紙に転写されるまでのインキ供給経路の長さに応じて設定し、前記デューティ比を各前記インキキーの画線面積率に応じて設定する請求項４から請求項６のいずれかに記載のインキキープリセット装置。
【請求項８】
印刷幅方向に沿って設けられた複数のインキキーの各々に対してインキキー開度を設定するインキキープリセット装置であって、
前記インキキー毎に画線面積率が設定されている画線面積率情報を取得する取得手段と、
前記画線面積率から所定の変換条件に基づいて、各インキキーに対するインキキー開度を設定する初期開度設定手段と、
前記インキキー開度が予め設定されている低開度閾値未満であるインキキーを低画線キーとして特定する特定手段と、
前記低画線キーに隣接する少なくとも一方のインキキー開度が、予め設定されている高開度閾値以上である場合に、当該低画線キーを間引き対象キーとして選定する第１の選定手段と、
前記間引き対象キーのインキキー開度をゼロに再設定するインキキー開度設定手段と
を具備するインキキープリセット装置。
【請求項９】
印刷機が前記インキキー開度設定手段により設定された前記インキキー開度を手動で修正するための開度修正手段を備えている場合において、
前記間引き対象キーとして特定された前記インキキーについては、間引き調整を行った旨を表示する間引き通知手段を備える請求項１から請求項８のいずれかに記載のインキキープリセット装置。
【請求項１０】
各インキキーに対する画線面積率を通知する画線面積率通知手段を備える請求項９に記載のインキキープリセット装置。
【請求項１１】
前記間引き対象キーとして特定された前記インキキーのインキキー開度の手動修正を無効とする操作無効手段を備える請求項９または請求項１０に記載のインキキープリセット装置。
【請求項１２】
前記間引き対象キーに隣接するインキキーの最低インキキー開度を保有し、前記開度修正手段から前記間引き対象キーに隣接するインキキーに対して前記最低インキキー開度を下回る修正指示が入力された場合に、該修正指示を無効とする旨を表示する監視手段を備える請求項９から請求項１１のいずれかに記載のインキキープリセット装置。
【請求項１３】
前記特定手段にて用いられる低画線閾値、前記第１の選定手段にて用いられる高画線閾値の少なくとも１つを設定するための設定変更手段を具備する請求項１から請求項１２のいずれかに記載のインキキープリセット装置。
【請求項１４】
印刷幅方向に沿って設けられた複数のインキキーの各々に対してインキキー開度を設定するインキキープリセット方法であって、
前記インキキー毎に画線面積率が設定されている画線面積率情報を取得する取得過程と、
前記画線面積率が予め設定されている低画線閾値未満であるインキキーを低画線キーとして特定する特定過程と、
前記低画線キーに隣接する少なくとも一方のインキキーの画線面積率が、予め設定されている高画線閾値以上である場合に、当該低画線キーを間引き対象キーとして選定する第１の選定過程と、
前記間引き対象キーのインキキー開度をゼロに設定するとともに、該間引き対象キー以外のインキキーについては、その画線面積率に応じたインキキー開度を設定するインキキー開度設定過程と
を具備するインキキープリセット方法。
【請求項１５】
印刷幅方向に沿って設けられた複数のインキキーの各々に対してインキキー開度を設定するインキキープリセット方法であって、
前記インキキー毎に画線面積率が設定されている画線面積率情報を取得する取得過程と、
前記画線面積率から所定の変換条件に基づいて、各インキキーに対するインキキー開度を設定する初期開度設定過程と、
前記インキキー開度が予め設定されている低開度閾値未満であるインキキーを低画線キーとして特定する特定過程と、
前記低画線キーに隣接する少なくとも一方のインキキー開度が、予め設定されている高開度閾値以上である場合に、当該低画線キーを間引き対象キーとして選定する第１の選定過程と、
前記間引き対象キーのインキキー開度をゼロに再設定するインキキー開度設定過程と
を具備するインキキープリセット方法。
【請求項１６】
印刷幅方向に沿って設けられた複数のインキキーの各々に対してインキキー開度を設定するためのインキキープリセットプログラムであって、
前記インキキー毎に画線面積率が設定されている画線面積率情報を取得する取得処理と、
前記画線面積率が予め設定されている低画線閾値未満であるインキキーを低画線キーとして特定する特定処理と、
前記低画線キーに隣接する少なくとも一方のインキキーの画線面積率が、予め設定されている高画線閾値以上である場合に、当該低画線キーを間引き対象キーとして選定する第１の選定処理と、
前記間引き対象キーのインキキー開度をゼロに設定するとともに、該間引き対象キー以外のインキキーについては、その画線面積率に応じたインキキー開度を設定するインキキー開度設定処理と
をコンピュータに実行させるためのインキキープリセットプログラム。
【請求項１７】
印刷幅方向に沿って設けられた複数のインキキーの各々に対してインキキー開度を設定するためのインキキープリセットプログラムであって、
前記インキキー毎に画線面積率が設定されている画線面積率情報を取得する取得処理と、
前記画線面積率から所定の変換条件に基づいて、各インキキーに対するインキキー開度を設定する初期開度設定処理と、
前記インキキー開度が予め設定されている低開度閾値未満であるインキキーを低画線キーとして特定する特定処理と、
前記低画線キーに隣接する少なくとも一方のインキキー開度が、予め設定されている高開度閾値以上である場合に、当該低画線キーを間引き対象キーとして選定する第１の選定処理と、
前記間引き対象キーのインキキー開度をゼロに再設定するインキキー開度設定処理と
をコンピュータに実行させるためのインキキープリセットプログラム。
【発明の詳細な説明】
【技術分野】
【０００１】
本発明は、印刷絵柄の画線面積率に基づいてインキキー開度を設定するインキキープリセット装置および方法ならびにプログラムに関するものである。
【背景技術】
【０００２】
枚葉印刷機や輪転印刷機等の印刷機では、インキ供給装置に備えられたインキキーとインキ元ローラとの隙間量（以下、「インキキー開度」という。）を調節することにより、インキ壷から印刷胴に供給するインキ供給量を調節している。上記インキ供給量は、印刷絵柄の画線面積率に関係があることから、従来、印刷絵柄の画線面積率を上記インキキー毎に求め、この各インキキーに対応する画線面積率に基づいて各インキキー開度を予め設定（以下、印刷前においてインキキー開度を自動的に設定する行為を「インキキープリセット」という。）しておくことが行われている。
【０００３】
インキキープリセットにおいては、画線面積率が大きい場合には、インキキー開度を大きく設定し、画線面積率が小さい場合にはインキキー開度を小さく設定することが一般的に行われている。
ここで、図２３に画線面積率とインキ転移量との関係を示す転移量変換特性を示す。図２３において横軸は画線面積率、縦軸はインキ壷からインキ元ローラへのインキ転移量を示している。図２３からわかるように、画線面積率が基準値Ｓ以上の領域においては、画線面積率とインキ転移量は比例関係にあるため、画線面積率に基づいてインキキー開度を決定することにより、インキ転移量を容易に調整することができる。
【０００４】
しかしながら、画線面積率が基準値Ｓ以下の領域においては、画線面積率に応じてインキキー開度を小さくしても、インキ転移量はこれに応じて減少しないため、画線面積率に対して必要となる目標インキ量に比べてインキ転移量が多くなってしまう。換言すると、目標インキ量に対して、インキ元ローラへ転移されるインキ量が過多な状態が発生してしまう。
このため、画線面積率が基準値Ｓ以下となる低画線領域においては、インキ転移量の調節が困難であり、色調整が難しいという問題が生じていた。
【０００５】
このような問題に対し、例えば、特許文献１には、絵柄全体の画線面積率の平均値を算出し、この平均値が所定値以上の場合には通常モードを採用し、平均値が所定値以下の場合にはインキキーを開閉制御させる小画像モードを採用する技術が開示されている。この小画像モードでは、インキキーを開閉制御することにより、インキ壷からインキ元ローラへインキが供給されない期間をもたせ、これにより、インキ元ローラへのインキ転移量を通常よりも減少させて、画線面積率が小さい領域においても色調整を可能とする技術が提案されている。
【特許文献１】特開２００５−２８６００号公報
【発明の開示】
【発明が解決しようとする課題】
【０００６】
しかしながら、上述した特許文献１に開示された従来のインキキープリセット手法では、印刷絵柄において、全てのインキキーの画像面積率が所定値以下であった場合に小画像モードを選択し、画線面積率が所定値を超えるインキキーが１本でもあった場合には、通常モードを選択しているため、インキキー毎のプリセットを詳細に行うことができないという問題があった。
これにより、例えば、一枚の印刷絵柄内において、画線面積率の大きいインキキーと小さいインキキーが共存している場合等には、画線面積率の大きいインキキーに合わせて通常モードが選択されてしまうため、画線面積率の小さいインキキーに対して適切なプリセットを行えず、バランスの悪い印刷紙面となってしまい、高い精度で色調整を行うことができないという問題があった。
【０００７】
本発明は、上記問題を解決するためになされたもので、高い精度で色調整を行うことのできるインキキープリセット装置を提供することを目的とする。
【課題を解決するための手段】
【０００８】
上記課題を解決するために、本発明は以下の手段を採用する。
本発明は、印刷幅方向に沿って設けられた複数のインキキーの各々に対してインキキー開度を設定するインキキープリセット装置であって、前記インキキー毎に画線面積率が設定されている画線面積率情報を取得する取得手段と、前記画線面積率が予め設定されている低画線閾値未満であるインキキーを低画線キーとして特定する特定手段と、前記低画線キーに隣接する少なくとも一方のインキキーの画線面積率が、予め設定されている高画線閾値以上である場合に、当該低画線キーを間引き対象キーとして選定する第１の選定手段と、前記間引き対象キーのインキキー開度をゼロに設定するとともに、該間引き対象キー以外のインキキーについては、その画線面積率に応じたインキキー開度を設定するインキキー開度設定手段とを具備するインキキープリセット装置を提供する。
【０００９】
このような構成によれば、取得手段によりインキキー毎の画線面積率が設定されている画線面積率情報が取得され、特定手段により画線面積率が低画線閾値未満である低画線キーが特定され、第１の選定手段により低画線キーに隣接する少なくとも一方のインキキーの画線面積率が高画線閾値以上である低画線キーが間引き対象キーとして選定される。このようにして、選定された間引き対象キーの情報は、インキキー開度設定手段に転送され、インキキー開度設定手段により、間引き対象キーのインキキーがゼロに設定されるとともに、その他のインキキーに対しては、それぞれの画線面積率に応じたインキキー開度が設定される。
【００１０】
ここで、図２に示されるように、インキがインキ壷２９から供給されて印刷用紙に転写されるまでに、複数のローラが配されている。このため、あるインキキーのインキキー開度をゼロに設定したとしても、隣接するインキキーからのインキ供給があれば、印刷用紙における当該インキキーに対応する印刷領域には、隣接するインキキーから供給されたインキが流入し、転写されることとなる。このインキ転写量は、隣接するインキキーのインキ供給量が多いほど、つまり、画線面積率が大きいほど、多くなる。
【００１１】
そこで、本発明では、インキ転移量が目標インキ量よりも大きくなってしまうインキ過多状態（例えば、図２３における基準値Ｓ以下の領域を参照）になる低画線キーにおいては、隣接するインキキーからのインキ流入を考慮し、当該低画線キーにおけるインキキー開度をゼロにするか否かを判断している。具体的には、隣接するインキキーの画線面積率が大きい場合には、隣接するインキキーからのインキ流入を期待できるため、当該インキキーのインキ開度をゼロに設定することで、当該インキキーのインキ過多状態を回避する。
【００１２】
一方、隣接するインキキーの画線面積率が小さい場合には、隣接するインキキーからのインキ流入が期待できない。そのため、当該インキキーのインキ開度をゼロにしてしまうと、対応する印刷領域にはインキが転写されないこととなってしまう。このような状態を回避するために、隣接するインキキーの画線面積率が小さい場合には、当該インキキーを間引き対象キーとはせずに、他のインキキーと同様にインキキー開度を設定する。
以上述べたように、本発明によれば、画線面積率が小さい低画線キーにおいては、隣接するインキキーの画線面積率を考慮して、そのインキキー開度をゼロにするか否かを決定するので、各インキキーの画線面積率に応じて、細やかなインキキー開度の調整設定を実施することが可能となる。
【００１３】
上記低画線閾値は、例えば、画線面積率とインキ転移量との関係が非線形から線形へ変化する境界値（例えば、図２３における基準値Ｓ）付近の値に設定することが好ましい。また、高画線閾値は、隣接するインキキーに対応する印刷領域に対して定常的にインキが流入されることが期待できる画線面積率以上に設定されることが好ましい。また、この高画線閾値は、固定値でもよく、また、変動値とすることも可能である。変動値とする場合には、低画線キーの画線面積率に応じて変動させることとしても良い。例えば、過多となるインキ量が小さいほど、高画線閾値を低い値に設定することとしても良い。
【００１４】
また、上記インキキー開度設定手段は、例えば、画線面積率とインキキー開度とを対応付けた変換テーブルを備えており、この変換テーブルを用いて間引き対象キー以外のインキキーのインキキー開度を設定しても良い。あるいは、インキキー開度設定手段は、画線面積率からインキキー開度を演算にて求める変換演算式を保有しており、この変換演算式を用いて、上記間引き対象キー以外のインキキーのインキキー開度を設定しても良い。また、これら手法のほか、公知の技術を用いても良い。
【００１５】
本発明のインキキープリセット装置は、前記インキキー開度設定手段により設定されたインキキー開度を修正する修正手段を備えていても良く、前記修正手段が、前記低画線キーに隣接するインキキーのインキキー開度を、該低画線キーの画線面積率に応じて修正することとしても良い。
【００１６】
このような構成によれば、低画線キーに隣接するインキキーのインキキー開度を、該低画線キーの画線面積率に応じて修正するので、低画線キーによる影響を解消するような修正を隣接するインキキーのインキキー開度に施すことにより、インキ供給量をより適切な量に調整することが可能となる。
例えば、修正手段は、インキキー開度がゼロに設定されている低画線キーに隣接するインキキーのインキキー開度を修正する場合には、低画線キーへのインキ流出を考慮して、当該インキキーのインキキー開度を大きくする方向に修正する。これに対し、例えば、インキキー開度がゼロに設定されていない低画線キーに隣接するインキキーのインキキー開度を修正する場合には、低画線キーからのインキ流入を考慮して、当該インキキーのインキキー開度を小さくする方向に修正する。
【００１７】
本発明のインキキープリセット装置は、前記低画線キーの連続数が予め設定されている所定数に達した場合に、または、連続する前記低画線キーにおけるインキ過多量の積算値が予め設定されている積算閾値以上となった場合に、連続する該低画線キーのうちの少なくとも１つを前記間引き対象キーとして選定する第２の選定手段を備えていても良い。
【００１８】
このような構成によれば、インキ供給が過多状態となる低画線キーが所定数連続して存在していた場合、または、連続する前記低画線キーにおけるインキ過多量の積算値が予め設定されている積算閾値以上となった場合には、この中の少なくとも１つの低画線インキキーを間引き対象キーとして選定するので、インキ過多の状態を緩和させることが可能となる。これにより、隣接するインキキーの画線面積率が小さかった場合においても、インキ供給量を適量に調節することが可能となる。
【００１９】
本発明のインキキープリセット装置において、前記低画線キーの連続数が予め設定されている所定数に達した場合に、または、連続する前記低画線キーにおけるインキ過多量の積算値が予め設定されている積算閾値以上となった場合に、前記インキキー開度設定手段は、所定の周期で、ゼロと所定値とを所定のデューティ比で交互にとるように、各前記低画線キーのインキキー開度を設定することとしても良い。
【００２０】
このような構成によれば、インキ供給量が過多状態となる低画線キーが所定数連続して存在していた場合、または、連続する前記低画線キーにおけるインキ過多量の積算値が予め設定されている積算閾値以上となった場合には、各低画線キーのインキキー開度が所定の周期でゼロと所定値とを所定のデューティ比で交互にとるように設定されるので、インキキー開度が所定値に設定されているインキオン期間のみインキが供給され、インキキー開度がゼロに設定されているインキオフ期間には、インキが供給されないこととなる。
このように、インキ供給量が過多状態となる低画線キーにおいては、インキ供給が行われないインキオフ期間を設けることにより、インキ供給量を通常時に比べて減少させることが可能となる。これにより、個々の低画線キーにおけるインキ供給量の調整が可能となるため、高画線キーが近傍に存在しない場合であってもインキ供給量を適量にすることができる。
【００２１】
本発明のインキキープリセット装置において、前記インキキー開度設定手段は、前記低画線キーに隣接するインキキーの画線面積率がいずれもゼロであった場合に、所定の周期で、ゼロと所定値とを所定のデューティ比で交互にとるように、当該低画線キーのインキキー開度を設定することとしても良い。
【００２２】
このような構成によれば、隣接するインキキーの画線面積率がゼロである場合でも、個々の低画線キーにおけるインキ供給量の調整が可能となるため、インキ供給量を適量にすることができる。
【００２３】
本発明は、印刷幅方向に沿って設けられた複数のインキキーの各々に対してインキキー開度を設定するインキキープリセット装置であって、前記インキキー毎に画線面積率が設定されている画線面積率情報を取得する取得手段と、前記画線面積率が予め設定されている低画線閾値未満であるインキキーを低画線キーとして特定する特定手段と、前記低画線キーについては、所定の周期で、ゼロと所定値とを所定のデューティ比で交互にとるようにインキキー開度を設定し、前記低画線キー以外のインキキーについては、当該インキキーの画線面積率に応じたインキキー開度を設定するインキキー開度設定手段とを具備するインキキープリセット装置を提供する。
【００２４】
このような構成によれば、低画線キーにおいて、個々にインキ供給量を調整することが可能となるので、インキ供給量の調整をより詳細に実施することができる。
【００２５】
本発明のインキキープリセット装置において、前記インキキー開度設定手段は、前記所定の周期を、インキがインキ壷から印刷用紙に転写されるまでのインキ供給経路の長さに応じて設定し、前記デューティ比を各前記インキキーの画線面積率に応じて設定することとしても良い。
【００２６】
例えば、インキキー開度を切り替える所定の周期を短く設定してしまうと、インキキーの開閉作動が頻繁に行われることとなり、インキキーの寿命短縮を招く結果となる。また、所定の周期を長く設定してしまうと、インキキー開度として所定値が設定されている期間においては、インキ過多な状態が維持され、インキキー開度としてゼロが設定されている期間においては、インキが全く供給されないという事態を招くこととなってしまう。
このような問題に対して、本発明では、インキがインキ壷から印刷用紙に転写されるまでのインキ供給経路の長さに応じて、インキキー開度を切り替える周期を設定するので、インキを定常的に供給することが可能となる。更に、各インキキーの画線面積率に応じて、所定周期内におけるインキオフ期間とインキオン期間との割合であるデューティ比を設定するので、画線面積率が大きいほどインキオン期間を長くすることにより、インキ供給量を最適な値に調整することが可能となる。
なお、上記インキ供給経路の長さに代えて、または、加えて、印刷速度に応じて上記インキキー開度を切り替える所定の周期を設定することとしてもよい。
【００２７】
本発明は、印刷幅方向に沿って設けられた複数のインキキーの各々に対してインキキー開度を設定するインキキープリセット装置であって、前記インキキー毎に画線面積率が設定されている画線面積率情報を取得する取得手段と、前記画線面積率から所定の変換条件に基づいて、各インキキーに対するインキキー開度を設定する初期開度設定手段と、前記インキキー開度が予め設定されている低開度閾値未満であるインキキーを低画線キーとして特定する特定手段と、前記低画線キーに隣接する少なくとも一方のインキキー開度が、予め設定されている高開度閾値以上である場合に、当該低画線キーを間引き対象キーとして選定する第１の選定手段と、前記間引き対象キーのインキキー開度をゼロに再設定するインキキー開度設定手段とを具備するインキキープリセット装置を提供する。
【００２８】
このような構成によれば、取得手段によりインキキー毎の画線面積率が設定されている画線面積率情報が取得され、この画線面積率情報に基づいて各インキキーに対するインキキー開度が初期開度設定手段により設定される。続いて、特定手段により、上記初期開度設定手段により設定されたインキキー開度が低開度閾値未満である低画線キーが特定され、第１の選定手段により低画線キーに隣接する少なくとも一方のインキキーのインキキー開度が高開度閾値以上である低画線キーが間引き対象キーとして選定される。このようにして、選定された間引き対象キーの情報は、インキキー開度設定手段に転送され、インキキー開度設定手段により、間引き対象キーのインキキーがゼロに再設定されることとなる。
【００２９】
図２３に示すように、画線面積率が基準値Ｓ以上の領域においては、インキ転移量と画線面積率とが比例関係にあり、図２４に示すように、画線面積率が基準値Ｓ以上の領域においては、画線面積率とインキキー開度とにおいても比例関係にあることがわかる。これにより、低画線キーであるか否かの特定は、上述したようにインキキー開度に基づいても行うことが可能となる。このような判断手順によっても、高い精度で色調整を実施することが可能となる。
【００３０】
本発明のインキキープリセット装置は、前記インキキー開度設定手段により設定された前記インキキー開度を手動で修正するための開度修正手段を備えている場合において、前記間引き対象キーとして特定された前記インキキーについては、間引き調整を行った旨を表示する間引き通知手段を備えることとしても良い。
【００３１】
このような構成によれば、間引き調整を行うことにより、インキキー開度がゼロに設定されている低画線キーについては、インキ過多状態を回避するために故意に設定された値であることをユーザに通知することが可能となる。これにより、低画線キーにおける手動調整において、ユーザに注意を促すことが可能となる。
【００３２】
本発明のインキキープリセット装置は、印刷機がインキキー開度設定手段により設定された各インキキーのインキキー開度を外部から手動で修正するための開度修正手段を備えている場合において、各インキキーに対する画線面積率を通知する画線面積率通知手段を備えていても良い。
【００３３】
このような構成によれば、各インキキーに対する画線面積率をユーザに対して通知する画線面積率通知手段を備えるので、ユーザは画線面積率を確認しながら、インキキー開度を手動にて調節することが可能となる。
【００３４】
本発明のインキキープリセット装置は、印刷機がインキキー開度設定手段により設定された各インキキーのインキキー開度を外部から手動で修正するための開度修正手段を備えている場合において、前記間引き対象キーとして特定された前記インキキーのインキキー開度の手動修正を無効とする操作無効手段を備えていても良い。
【００３５】
このような構成によれば、間引き対象キーとして特定されたインキキーのインキキー開度の手動修正を無効とするので、自動的に設定された適切なインキキー開度がユーザにより不適切な値に調節されることを防止することができる。
【００３６】
本発明のインキキープリセット装置は、印刷機がインキキー開度設定手段により設定された各インキキーのインキキー開度を外部から手動で修正するための開度修正手段を備えている場合において、前記間引き対象キーに隣接するインキキーの最低インキキー開度を保有し、前記開度修正手段から前記間引き対象キーに隣接するインキキーに対して前記最低インキキー開度を下回る修正指示が入力された場合に、該修正指示を無効とする旨を表示する監視手段を備えていても良い。
【００３７】
インキキー開度設定手段によりインキキー開度がゼロに設定されることとなった低画線キー、つまり、間引き調整が行われている低画線キーについては、隣接するインキキーからのインキの流入を期待して、開度をゼロに設定している。従って、隣接するインキキーのインキキー開度が適切な開度以下に設定されてしまうと、上述の前提が崩れることとなり、低画線キーに関するインキキー開度も不適切なものとなってしまう。
上記構成によれば、低画線キーに隣接するインキキーに関しても適切な開度が保持されるように監視手段により監視が行われるので、インキキー開度が常に適切な値の範囲で手動調整されることとなる。
【００３８】
本発明のインキキープリセット装置は、前記特定手段にて用いられる低画線閾値、前記第１の選定手段にて用いられる高画線閾値の少なくとも１つを外部から設定するための設定変更手段を備えていても良い。
【００３９】
このような構成によれば、設定変更手段を操作することにより、低画線閾値、高画線閾値の値を外部から設定することが可能となるので、ユーザの趣向を取り入れたインキキープリセット処理を実現させることが可能となる。
【００４０】
本発明は、印刷幅方向に沿って設けられた複数のインキキーの各々に対してインキキー開度を設定するインキキープリセット方法であって、前記インキキー毎に画線面積率が設定されている画線面積率情報を取得する取得過程と、前記画線面積率が予め設定されている低画線閾値未満であるインキキーを低画線キーとして特定する特定過程と、前記低画線キーに隣接する少なくとも一方のインキキーの画線面積率が、予め設定されている高画線閾値以上である場合に、当該低画線キーを間引き対象キーとして選定する第１の選定過程と、前記間引き対象キーのインキキー開度をゼロに設定するとともに、該間引き対象キー以外のインキキーについては、その画線面積率に応じたインキキー開度を設定するインキキー開度設定過程とを具備するインキキープリセット方法を提供する。
【００４１】
本発明は、印刷幅方向に沿って設けられた複数のインキキーの各々に対してインキキー開度を設定するインキキープリセット方法であって、前記インキキー毎に画線面積率が設定されている画線面積率情報を取得する取得過程と、前記画線面積率から所定の変換条件に基づいて、各インキキーに対するインキキー開度を設定する初期開度設定過程と、前記インキキー開度が予め設定されている低開度閾値未満であるインキキーを低画線キーとして特定する特定過程と、前記低画線キーに隣接する少なくとも一方のインキキー開度が、予め設定されている高開度閾値以上である場合に、当該低画線キーを間引き対象キーとして選定する第１の選定過程と、前記間引き対象キーのインキキー開度をゼロに再設定するインキキー開度設定過程とを具備するインキキープリセット方法を提供する。
【００４２】
本発明は、印刷幅方向に沿って設けられた複数のインキキーの各々に対してインキキー開度を設定するためのインキキープリセットプログラムであって、前記インキキー毎に画線面積率が設定されている画線面積率情報を取得する取得処理と、前記画線面積率が予め設定されている低画線閾値未満であるインキキーを低画線キーとして特定する特定処理と、前記低画線キーに隣接する少なくとも一方のインキキーの画線面積率が、予め設定されている高画線閾値以上である場合に、当該低画線キーを間引き対象キーとして選定する第１の選定処理と、前記間引き対象キーのインキキー開度をゼロに設定するとともに、該間引き対象キー以外のインキキーについては、その画線面積率に応じたインキキー開度を設定するインキキー開度設定処理とをコンピュータに実行させるためのインキキープリセット方法を提供する。
【００４３】
本発明は、印刷幅方向に沿って設けられた複数のインキキーの各々に対してインキキー開度を設定するためのインキキープリセットプログラムであって、前記インキキー毎に画線面積率が設定されている画線面積率情報を取得する取得処理と、前記画線面積率から所定の変換条件に基づいて、各インキキーに対するインキキー開度を設定する初期開度設定処理と、前記インキキー開度が予め設定されている低開度閾値未満であるインキキーを低画線キーとして特定する特定処理と、前記低画線キーに隣接する少なくとも一方のインキキー開度が、予め設定されている高開度閾値以上である場合に、当該低画線キーを間引き対象キーとして選定する第１の選定処理と、前記間引き対象キーのインキキー開度をゼロに再設定するインキキー開度設定処理とをコンピュータに実行させるためのインキキープリセットプログラムを提供する。
【００４４】
なお、本発明における低画線キーについては、もともと画線面積率を有さないキーは対象外とする。つまり、画線面積率情報において予め画線面積率がゼロに設定されているインキキーについては、低画線キーとして特定しないものとする。
【００４５】
本発明は、枚葉機、商業用オフセット輪転機、新聞用オフセット輪転機等の印刷機に適用可能である。
【発明の効果】
【００４６】
本発明によれば、高い精度で色調整を行うことができるという効果を奏する。
【発明を実施するための最良の形態】
【００４７】
以下、本発明のインキキープリセット装置を輪転印刷機に適用した場合の一実施形態について、図を参照して説明する。
まず始めに、輪転印刷機の全体概略構成について説明した後、本発明の特徴部分であるインキキープリセット装置についての詳細を説明する。
〔輪転印刷機〕
図１は、本実施形態に係る輪転印刷機の概略構成を模式的に示した図である。この図に示すように、本実施形態に係る輪転印刷機１は、両面４色印刷用の輪転印刷機であり、複数の印刷ユニット８ａ乃至８ｈ（以下、各印刷ユニットを区別しない場合には単に符号「８」を付し、各印刷ユニットを区別して表現するときは符号「８ａ」、「８ｂ」等を付す。以下、他の構成要素についても同様とする。）がタワー状に積層された構造となっている。印刷ユニット８ａ乃至８ｄは裏面印刷に用いられ、印刷ユニット８ｅ乃至８ｈは表面印刷に用いられる。また、印刷ユニット８ａおよび８ｅは墨色（ブラック）印刷に、印刷ユニット８ｂおよび８ｆは藍色（シアン）印刷に、印刷ユニット８ｃおよび８ｇは紅色（マゼンダ）印刷に、印刷ユニット８ｄおよび８ｈは黄色（イエロー）印刷にそれぞれ用いられる。
【００４８】
印刷ユニット８は、インキを供給するインキ供給装置１１と、湿し水を供給する湿し装置（図示せず）と、インキ供給装置１１および湿し装置に対向配置された版胴１３と、この版胴１３に対向配置されたゴム胴（ブランケット胴）１４とを備えている。
【００４９】
以下、印刷ユニット８が備える各部について図２乃至図６を参照して説明する。
図２乃至図５は、インキ供給装置１１を示す図であり、図２はインキ供給装置から版胴までのインキ供給に係る構成を示す模式的な側面図、図３はウェブＷとインキキーユニットの関係を示す図、図４はインキキーユニットの概略構成を示す図、図５はインキキー開度を調整するインキキー開度調整装置の概略構成を示す図である。
インキ供給装置１１は、図２に示すように、インキキーユニット２０、インキ壷２９、インキ元ローラ２１、インキ移しローラ２２、インキ練りローラ群２３、揺動ローラ２４、および印刷時に版胴１３に対して接触する３本のインキ着けローラ２５を備えている。
【００５０】
上記インキキーユニット２０は、例えば、ウェブＷに印刷するページ数に応じて設けられている。本実施形態では、輪転機システム１は、新聞印刷用のものである。したがって、図３に示すように、ウェブＷは、４ページ分の印刷幅を有している。このため、インキ供給装置１１は、インキ元ローラ２１の回転軸方向に沿って並設された４つのインキキーユニット２０を備えている。
【００５１】
各インキキーユニット２０は、図４に示すように、８つのインキキー２６ａ乃至２６ｈを備えている。隣り合うインキキー２６ａ乃至２６ｈ、並びに、端部のインキキー２６ａと側板２７とは互いに摺接している。また、図５に示すように、各インキユニット２０における各インキキー２６ａ乃至２６ｈは、支点軸２８を中心にしてそれぞれ独立して揺動できるように構成されている。これにより、各インキキー２６ａ乃至２６ｈとインキ元ローラ２１の周面との隙間、換言すると、インキキー開度を個別に調節できるようになっている。各インキキー２６の下方には、インキキー開度を調節するための機構であるインキキー開度調節装置３０がそれぞれ設けられている。
【００５２】
インキキー開度調節装置３０は、各インキキー２６の先端下面に当接する押上金具３１と、押上金具３１に先端を当接し、前後方向に伸縮することにより押上金具３１を揺動昇降させるプッシャ３２と、動転駆動することによってプッシャ３２を前進または後退させるように接続されたアクチュエータとしてのモータ３３とを備えている。モータ３３は、例えば、ステッピングモータ等である。このモータ３３は、後述するローカルＣＰＵ３８に電気的に接続されている。ローカルＣＰＵ３８は、後述するインキキープリセット装置５０から受け取るインキキー開度データに基づいて、モータ３３に励磁信号を出力することによりモータ３３を駆動し、上述のインキキー開度をインキキー毎に独立に制御する構成とされている。
【００５３】
また、モータ３３の回転軸はギアを介して駆動伝達可能に回転軸の回転角位置を検知するポテンショメータ３４に接続されている。ポテンショメータ３４によって検知されたモータ３３の回転角はプッシャ３２の前進後退位置すなわち、各インキキー２６の揺動角度に対応しており、これによって各インキキー２６のモータ開度を検知することができる。ポテンショメータ３４は、ローカルＣＰＵ３８に電気的に接続されている。これにより、ポテンショメータ３４による検知結果がローカルＣＰＵ３８に転送される構成となっている。
このように構成されたインキキー開度調節装置３０においては、ローカルＣＰＵ３８により各モータ３３がそれぞれ独立して駆動される。この駆動状態に応じてプッシャ３２は前後方向に伸縮し、押上金具３１の先端が揺動昇降することとなる。これにより、各インキキー開度が個別に調節され、好適なインキ量がインキ壷からインキ元ローラ２１の周面へ転写されることとなる。
【００５４】
次に、図１に示した本実施形態に係る印刷ユニット８が備える湿し装置、版胴１３、およびゴム胴１４について図６を参照してそれぞれ説明する。図６は、インキ着けローラからゴム胴までのインキ供給に係る構成を示す模式的な側面図である。
図６に示すように、湿し装置４７は、水着ローラ４０、水ライダローラ４１、水揺動ローラ４２などの複数のローラと印刷頁に応じたスプレーノズルを複数有するスプレーダンプナ３９を備えており、印刷頁毎に個々に湿し水の量を調整して供給するようになっている。また、間欠式噴霧やその噴霧時間を制御することにより、印刷速度や絵柄に応じた水量調整を実現している。
【００５５】
版胴１３は、印刷用画像が形成された刷版が外周に巻回されるように円筒状とされている。刷版は、印刷すべき画像毎に作成され、交換される。版胴１３は、外周の一部の角度範囲が軸線方向に切り欠かれた状態となっており、この位置４５に、刷版の上流端である版頭および刷版の下流端である版尻を掴んで固定する版締め装置（図示せず）が設けられている。
【００５６】
ゴム胴１４は、版胴１３の刷版上のインキを受け取り、図１に示すように、互いに対抗配置された他のゴム胴１４との間を通過するウェブＷに対してインキを転移する。ゴム胴１４の外周には、ブランケットとしてゴムが巻回されている。ゴム胴１４は、図６に示すように、外周の一部の角度範囲が軸線方向に切り欠かれた状態となっており、この位置４６に、ゴムの上流端および下流端を掴んで固定するゴム締め装置（図示せず）が設けられている。ゴム胴１４は、印刷を行わない非印刷時等には、版胴１３及び対向配置されたゴム胴１４から離間させる（胴抜き）ことができるようになっている。
【００５７】
上述したような種々の構成要素を備える輪転印刷機１においては、各印刷ユニット８において、図２に示すように、インキ供給装置１１のインキキー開度がインキキー開度調節装置３０により適度な開度に調節されることにより、適量のインキがインキ壷２９からインキ元ローラ２１の周面に供給される。インキ元ローラ２１に供給されたインキは、インキ移しローラ２２を介してインキ練りローラ群２３に供給され、インキ練りローラ群２３の周面を通過する間に適度に練られる。インキ練りローラ群２３によって練られたインキは、インキキー幅の１／３程度の割合で軸方向に揺動するインキ揺動ローラ２４により、各キーゾーンの境界線におけるインキ膜厚についての極端なインキ膜厚変化が緩和された後に、インキ着けローラ２５を介して版胴１３の版面に供給され、版面１３に付着したインキが、図６および図１に示すようにゴム胴１４を介して絵柄としてウェブＷに転写される。
【００５８】
このようにして、ウェブＷは、図１に示すように、各印刷ユニット８の対抗配置されたゴム胴１５の間を通過する際に、表面および裏面にゴム胴１４から像がそれぞれ転写され、表面および裏面に４色または２色の印刷が施され、後段の装置へと排出されることとなる。
【００５９】
〔制御システム〕
次に、上述した構成を備える輪転印刷機１の制御を行う制御システムにおいて、説明する。
本実施形態に係る制御システムは、インキキープリセット装置５０、上位装置５２、及び輪転印刷機１の制御を行う制御装置３５を備えている。インキキープリセット装置５０、上位装置５２、および制御装置３５は、互いにネットワーク１００を介して接続され、双方向通信を可能とするネットワークが構築されている。上記ネットワークは、無線、有線のいずれでも良く、一例としてＬＡＮ、イーサネット（登録商標）等が挙げられる。
【００６０】
上位装置５２は、輪転印刷機１にて用いられる刷版の情報、印刷頁毎、かつ、色（墨、藍、紅、黄）毎に設けられた画線面積率情報など、インキキープリセット装置５０が輪転印刷機１における各インキキーのプリセットを行うために必要となる情報をインキキープリセット装置５０へ与えるものである。上記画線面積率情報は、例えば、インキキー毎の画線面積率が設定されたテーブルである。
【００６１】
インキキープリセット装置５０は、輪転印刷機１が備える全てのインキキーに対するインキキー開度を求め、このインキキー開度に関する種々のデータをインキキー開度データとしてネットワーク１００を介して制御装置３５に送信する機能を備えている。
ここで、輪転印刷機１が８台の印刷ユニット８を備える場合、図３乃至図４に示したように、各印刷ユニット８には、インキキーユニット２０が４台設けられており、各インキキーユニット２０は８本のインキキー２６を備えているので、輪転印刷機１は合計で２５６本のインキキー２６を備えていることとなる。従って、この場合、インキキープリセット装置５０は、２５６本の各インキキー２６に対応するインキキー開度をそれぞれ演算することとなる。
【００６２】
このインキキープリセット装置５０は、例えば、図８に示すように、メモリ８１、取得部（取得手段）８２、特定部（特定手段）８３、第１の選定部（第１の選定手段）８４、第２の選定部（第２の選定手段）８５、インキキー開度選定部（インキキー開度選定部）８６、及び通信部８７を備えている。
メモリ８１は、通信部８７を介して上位装置５２から受信した画線面積率情報などを記憶する。具体的には、メモリ８１は、輪転印刷機１が備える各印刷ユニット８ａ乃至８ｄにより印刷が行われる印刷頁及び印刷色毎の画線面積率情報、下記処理に用いられる閾値情報、基本設定情報等を記憶している。
取得部８２は、メモリ８１から処理対象となる画線面積率情報を取得する。特定部８２は、画線面積率が予め設定されている低画線閾値未満であるインキキーを低画線キーとして特定する。第１の選定部８３は、低画線キーに隣接する少なくとも一方のインキキーの画線面積率が、予め設定されている高画線閾値以上である場合に、該低画線キーを間引き対象キーとして選定する。第２の選定部８５は、低画線キーが所定数連続している場合に、連続する該低画線キーのうちの少なくとも１つを間引き対象キーとして選定する。インキキー開度選定部８６は、間引き対象キーのインキキー開度をゼロに設定するとともに、該間引き対象キー以外のインキキーについては、その画線面積率に応じたインキキー開度を設定する。通信部８７は、ネットワーク１００を介して情報を送受信する。
【００６３】
次に、上述したインキキープリセット装置５０の作用について説明する。
ここでは、一例として印刷ユニット８ａに関するインキキー開度を設定する場合について説明する。また、以下の説明において、便宜上、印刷ユニット８ａのインキキーユニット２０ａにＡ頁が、インキキーユニット２０ｂにＢ頁が、インキキーユニット２０ｃにＣ頁が、インキキーユニット２０ｄにＤ頁が割り当てられた場合について説明する。
【００６４】
まず、インキキープリセット装置５０の取得部８２は、メモリ８１から処理対象であるＡ頁乃至Ｄ頁の墨色に対応する画線面積率情報をそれぞれ取得する。ここで、図９に、Ａ頁、Ｂ頁の印刷絵柄の一例を示し、図１０に、図９に示したＡ頁、Ｂ頁の画線面積率情報を示す。取得部８１は、各頁に対応する画線面積率情報を取得すると、この情報を特定部８３に転送する。
【００６５】
特定部８３は、図１０に示した画線面積率情報において、低画線キーの特定を行う。具体的には、特定部８３は、予め設定されている低画線閾値Ｌ未満の画線面積率を有するインキキーを低画線キーとして特定する。この特定処理は、各頁単位で行われる。
ここで、低画線閾値Ｌは、図２３に示した転移量変換特性において画線面積率とインキ転移量との関係が非線形から線形へ変化する境界付近の値、本実施形態では、図２３における基準値Ｓに設定されている。なお、この低画線閾値Ｌの情報は、特定部８３が自己が内蔵するメモリに保有していても良く、メモリ８１に保存されている値を読み出して用いることとしても良い。この結果、例えば、図１０に示した例では、Ａ頁においてキー番号「１」、「５」、「７」が、Ｂ頁においては、キー番号「１」乃至「８」が低画線キーとして特定される。この低画線キーの情報は、第１の選定部８４及び第２の選定部８５に転送される。
【００６６】
第１の選定部８４は、特定部８３により低画線キーであると特定されたキーに隣接するインキキーの画線面積率を参照し、隣接するインキキーの画線面積率が予め設定されている高画線閾値Ｈ以上である低画線キーを間引き対象キーＬｄ１として定める。この処理も、頁単位で行われる。ここで、高画線閾値Ｈは、低画線閾値Ｌよりも大きい値であり、例えば、隣接するインキキーに対して定常的にインキが流入される画線面積率以上に設定されている。この結果、例えば、図１０に示した例では、Ａ頁においてキー番号「５」及び「７」のインキキーが、間引き対象キーＬｄ１として選定される。この間引き対象キーＬｄ１の情報は、インキキー開度設定部８６に転送される。
【００６７】
次に、第２の選定部８５は、特定部８３より特定された低画線キーが所定数以上連続している箇所を検出する。この処理も頁単位で行われる。ここで、所定数としては、２以上の整数を任意に選択して設定されることが可能である。本実施形態では、所定数は、「３」に設定されているものとする。この結果、第２の選定部８５により、低画線キーが３本以上連続している箇所として、インキキーユニット２０ｂのキー番号「１」乃至「３」、「４」乃至「６」が検出される。続いて、第２の選定部８５は、３つずつ連続する低画線キーのうち、少なくとも１つを間引き対象キーＬｄ２として選定する。ここで、以下、間引き対象キーＬｄ２に選定されなかった低画線キーを「残存キーＬｒ」という。
【００６８】
上記間引き対象キーの選定手法としては、種々の手法が考えられるが、本実施形態では、連続する３本の低画線キーのうち両端の低画線キーを間引き対象キーＬｄ２として選定し、中央の低画線キーを残存キーＬｒとして選定する。なお、この手法のほかにも、例えば、連続する３本の低画線キーのうち、最も画線面積率の大きい低画線キーを残存キーＬｒとし、それ以外の低画線キーを間引き対象キーＬｄ２として選定するなどの種々の手法がある。この結果、例えば、図１０に示した例では、Ｂ頁において、キー番号「１」、「３」、「４」、「６」が間引き対象キーＬｄ２として選定され、また、キー番号「２」、「５」が残存キーＬｒとして選定される。これら間引き対象キーＬｄ２の情報、および残存キーＬｒの情報は、インキキー開度設定部８６に転送される。
【００６９】
続いて、インキキー開度設定部８６は、上述の第１の選定部８４及び第２の選定部８５から受け付けた間引き対象キーＬｄ１、Ｌｄ２の情報及び残存キーＬｒの情報、及び図１０に示した各インキキーに対応する画線面積率を参照して、各インキキーのインキキー開度を設定する。
【００７０】
具体的には、インキキー開度設定部８６は、間引き対象キーＬｄ１、Ｌｄ２として選定された低画線キーについては、インキキー開度をゼロに設定する。これにより、図１１に示すように、インキキーユニット２０ａのキー番号「５」、「７」、インキキーユニット２０ｃのキー番号「１」、「３」、「４」、「６」のインキキー開度がゼロに設定される。続いて、インキキー開度設定部８６は、上記間引き対象キー以外の各インキキーについて、その画線面積率に応じたインキキー開度を設定する。例えば、インキキー開度設定部８６は、メモリ８１に設定されている開度変換特性を取得し、この開度変換特性を用いて各インキキー開度を求める。ここで、開度変換特性とは、例えば、図２４に示されるように、横軸を画線面積率、縦軸をインキキー開度とした特性である。
【００７１】
図１１に、インキキー開度設定部８６により設定されたインキキー開度の一例を示す。
このようにして、インキキー開度設定部８６は、印刷ユニット８ａの３２本のインキキーに対してインキキー開度をそれぞれ設定すると、このインキキー開度を自己が備えるメモリに保存し、続いて、次の印刷ユニット、例えば、印刷ユニット８ｂに係るインキキー開度の設定を行う。なお、上述した処理は、各部が並行して実行するものとしても良い。
【００７２】
そして、インキキー開度設定部８６は、輪転印刷機１が備える全ての印刷ユニット８ａ乃至８ｈにおけるインキキー開度を設定すると、各インキキー開度に、各印刷ユニットの識別情報、印刷ユニットの識別情報等を付加することにより、所定のフォーマットのインキキー開度データを作成し、このインキキー開度データを通信部８７に出力する。
更に、インキキー開度設定部８６は、間引き対象キーとして選定されたキーの情報、頁割り当ての情報などの付加情報についても通信部８７に出力する。
通信部８７は、インキキー開度設定部８６から受け付けたインキキー開度データ及び付加情報をネットワーク１００を介して制御装置３５へ送信する。
【００７３】
制御装置３５は、インキキープリセット装置５０から上述したようなインキキー開度データを受信すると、このインキキー開度データに基づいて図５に示した各インキキー調整装置３０を制御することにより、各インキキー開度を調節する。
更に、各制御装置３５には、操作パネル６０が接続されている。この操作パネル６０は、輪転印刷機１における運転状態等を表示する表示手段として機能するとともに、外部からの指示、例えば、インキキー開度の修正指示を受け付ける入力手段として機能する。この操作パネル６０に表示される表示画面の内容については後述する。
【００７４】
制御装置３５は、具体的には、図１２に示すように、インキキープリセット装置５０とのインタフェース等として機能するリモートＣＰＵ３６、および各印刷ユニット８に対応して設けられた印刷ユニット制御装置３７を備えている。つまり、印刷ユニット８を８台備えてなる輪転印刷機１の場合、印刷ユニット制御装置３７は８個設けられることとなる。この印刷ユニット制御装置３７の各々は、３２個のローカルＣＰＵ３８をそれぞれ管轄する。このローカルＣＰＵ３８は、各インキキーに対応してそれぞれ設けられている。
【００７５】
このような構成からなる制御装置３５において、リモートＣＰＵ３６はインキキープリセット装置５０からインキキー開度データを受信すると、このインキキー開度データを各印刷ユニット制御装置３７に対して並行して出力する。印刷ユニット制御装置３７の各ローカルＣＰＵ３８は、このインキキー開度データの内、自己に対応するインキキー開度データのみを取り込み、この各インキキー開度データに基づいて、各モータ３３に励磁信号を出力する。これにより、各モータ３３がインキキープリセット装置５０からの制御指令に基づいて駆動されることとなり、インキキー開度が好適な状態に調整され、好適なインキ量による印刷が順次行われて、高品質な印刷物が排出されることとなる。
【００７６】
また、制御装置３５は、例えば、図１３に示すような状態表示画面、図１４に示すような開度一覧画面、図１５に示すような特性変更画面、図１６に示すような基本設定画面等の種々の表示画面を操作パネル６０に表示させる。
【００７７】
制御装置３５は、例えば、図１３に示すように、輪転印刷機１にて行われている印刷状態を示す状態表示画面を操作パネル６０に表示させる。この状態表示画面の上方には、各印刷ユニット８ａ乃至８ｈにて印刷されている頁情報のほか、下方に設けられた表示エリア（画線面積率通知手段）１０１に表示させるインキキー開度を選択させるためのボタン領域１０２が設けられている。ここでは、頁情報として、裏面印刷を行っている印刷ユニット８ａ乃至８ｄにおいては、３８頁、３頁、４０頁、１頁の４頁分がこの順番でウェブＷの幅方向に印刷されていることが示され、同様に、表面印刷を行っている印刷ユニット８ｅ乃至８ｈにおいては、２頁、３９頁、４頁、３７頁がこの順番でウェブＷの幅方向に印刷されていることが示されている。
【００７８】
また、この状態表示画面では、ユーザによりボタン領域１０２が操作されることにより、印刷ユニット及びインキキーユニットが選定されると、制御装置３５により、選定されたインキキーユニットが備える８本のインキキーの開度が当該画面の下方に表示される。例えば、図１３に示すように、印刷ユニットとして裏面に墨色を印刷している印刷ユニット８ａが選定され、インキキーユニットとして、１頁目の印刷が割り当てられているインキキーユニット２０ｄが選定されると、制御装置３５は、印刷ユニット８ａのインキキーユニット２０ｄを構成する８本のインキキーの開度を現在値として、表示エリア１０１に表示する。更に、各インキキー開度の下方には、インキキープリセット装置５０にて間引き制御が行われたキーであるか否か、つまり、間引き対象キーＬｄ１、Ｌｄ２として選定されたキーであるか否かを示す間引き表示エリア（間引き通知手段）１０４が設けられている。
【００７９】
更に、間引き表示エリア１０４の下方には、現在のインキキー開度を手動にて調整するための上下ボタン（開度修正手段）１０３が設けられているとともに、表示エリア１０１に表示させる内容をインキキー開度と画線面積率との間で自由に切り替えることのできる切り替えボタン１２０が設けられている。
また、制御装置３５は、間引き対象キーに設定されているインキキーに対応する上下ボタンが操作された場合には、内部処理にて、この操作を無効とする機能（操作無効手段）を備えている。
このように、本実施形態に係る制御装置は、インキキープリセット装置により間引きされたインキキーについては、手動による開度修正を無効とすることにより、最適な値に設定されたインキキー開度がユーザにより不適切な値に調節されることを回避し、精度の高い濃度調整を実現させている。
【００８０】
更に、制御装置３５は、各低画線キーに隣接するインキキーに対し、インキキー開度の限界値を有しており、ユーザによる手動調整によって修正されたインキキー開度が限界値以下になっていないか否かを監視する監視機能（監視手段）を備えている。この監視機能では、ユーザによる手動調整により、低画線キーに隣接するインキキーのインキキー開度が限界値を下回った場合には、この調整指示を無効とするとともに、調整指示を無効とした旨を操作パネル６０に表示させるように構成されている。
【００８１】
また、制御装置３５は、例えば、図１４に示すように、合計４台の印刷ユニットに関するインキキー開度の状態を一覧として表示した開度一覧画面を操作パネル６０に表示させる。図１４に示した開度一覧画面では、輪転印刷機１における裏面印刷を行う印刷ユニット８ａ乃至８ｄの各インキキー開度を棒グラフ１０５として示している。ここでは、印刷ユニット毎および頁毎に棒グラフ１０５が作成されている。各棒グラフ１０５において、横軸はキー番号、縦軸はインキキー開度を示している。制御装置３５は、当該開度一覧画面において、インキキープリセット装置５０により間引き操作が行われたインキキーが識別できるように表示する。ここでは、対応するインキキーの表示欄１０６を塗りつぶすことにより、他の欄とは異なる表示態様としている。
【００８２】
更に、制御装置３５は、図１４に示した開度一覧画面に、インキキープリセット装置５０の特定部８３にて用いられる低画線閾値Ｌ、第１の選定部８４にて用いられる高画線閾値Ｈ、及び第２の選定部８５が間引き対象キーＬｄ２を選定する際に参照する低画線キーの連続数を設定変更するための設定変更欄（設定変更手段）１０７を表示させる。これにより、ユーザは、インキキープリセット装置５０の各部にて用いられる低画線閾値Ｌ、高画線閾値Ｈ、及び連続数を適宜設定、変更することができる。これにより、ユーザの趣向を取り入れたインキキープリセット処理を実現させることが可能となる。
【００８３】
制御装置３５は、例えば、図１５に示すように、画線面積率をインキ転移量に変換するための変換関数の特性をユーザに調整させるための特性変更画面を操作パネル６０に表示させる。この特性変更画面には、現在用いられている変換関数を表示させる変換関数表示領域１０８が設けられている。この変換関数表示領域１０８に表示されている変換関数には、７つの参照点が設けられている。そして、特性変更画面には、これらの参照点Ｐ１乃至Ｐ７の値を設定するための設定領域１０９が設けられている。ユーザにより参照点Ｐ１乃至Ｐ７の画線面積率、インキ転移量が変更されると、制御装置３５は、この変更を反映させた変換関数を変換関数表示領域１０８に表示する。変換関数は、色（墨、藍、紅、黄）毎に５種登録可能としているので、ユーザは、これら５つの変換関数をそれぞれインキの種類や機械の特性に応じて登録し、この中から適時切替えて利用することが可能となる。なお、このようにしてユーザにより変換特性が変更された場合には、変更後の変換特性をインキキープリセット装置５０へ送信する。これにより、インキキー開度設定部８６がインキキー開度設定時に用いる開度変換特性（図２４参照）が当該転移量変換特性に基づいて更新され、更新後の開度変換特性を用いたインキキー開度の設定がインキキー開度設定部８６にて行われることとなる。
【００８４】
制御装置３５は、例えば、図１６に示すように、インキキープリセット装置５０にて用いられる各基本項目を設定変更するための基本設定画面を操作パネル６０に表示する。この基本設定画面において、制御装置３５は、間引きを対象とするインキキーの範囲をページ単位、つまり、インキキーユニット単位で行うか、或いは、胴単位、つまり、印刷ユニット単位で行うかを設定する第１の設定領域１１０を表示する。この第１の設定領域１１０には、連続インキキーを１頁（８本のインキキー）内でチェックすることを指示する頁単位制御ボタン１１１と、連続インキキーを胴（３２本のインキキー）でチェックすることを指示する胴単位制御ボタン１１２とが設けられている。更に、基本設定画面において、制御装置３５は、低画線キーが所定数連続した場合に、どのような条件で残存キーを選定するかを指示するための第２の設定領域１１３を表示する。第２の設定領域１１３には、残存キーとして中央のインキキーを選定する旨を指示する中央指示ボタン１１４と、残存キーとして画線面積率が最大であるインキキーを残す旨を指示する最大値ボタン１１５とが設けられている。また、制御装置３５は、基本設定画面において、閾値の種類を設定するための第３の設定領域１１６を表示する。第３の設定領域１１６には、閾値を画線面積率で制御することを指示する画線面積率ボタン１１７と、インキキー開度で制御することを指示するインキキー開度ボタン１１８とが設けられている。
制御装置３５は、これらの基本設定情報が変更された場合には、変更後の基本設定情報をインキキープリセット装置５０へ送信する。これにより、メモリ８１内に格納されている基本設定情報が更新されることとなる。これにより、更新後の情報に基づくインキキー開度の設定が行われることとなる。
【００８５】
以上説明してきたが、本実施形態に係るインキキープリセット装置５０によれば、画線面積率が小さい低画線キーにおいては、隣接するインキキーの画線面積率を考慮して、そのインキキー開度をゼロにするか否かを決定するので、各インキキーの画線面積率に応じて、細やかなインキキー開度の調整設定を実施することが可能となる。
【００８６】
なお、上述の実施形態においては、画線面積率に基づいて低画線キーの特定を行っていたが、この例に限られず、以下のような手法を用いることが可能である。
まず、図８に示したインキキープリセット装置５０において、特定部８３は、各インキキーに対応する画線面積率に基づいてインキキー開度を求める。この処理は、例えば、図２４に示された開度変換特性を用いることができる。このようにして、各インキキーに対するインキキー開度を求めると、このインキキー開度が予め設定されている低開度閾値未満であるか否かを判定し、低開度閾値未満のインキキーを低画線キーとして特定する。
このように、画線面積率に基づいて上述の処理を実施するのに変えて、インキキー開度に基づいて上述の処理を実施することも可能である。なお、この場合には、最初に、画線面積率からインキキー開度へ変換してしまうため、インキキー開度設定部８６では、間引き対象キーとして選定されたインキキーについてのインキキー開度をゼロに再設定するという処理を行うこととなり、それ以外のキーについては、最初に求められたインキキー開度のままとなる。
【００８７】
また、上述の実施形態では、インキキー開度設定部８６が開度変換特性を用いてインキキー開度を設定する場合について述べたが、この例に限られず、例えば、インキキー開度設定部８６が画線面積率からインキキー開度を算出するための演算式を保有しており、この演算式を用いて、インキキー開度を求めることとしても良い。
【００８８】
また、上述の実施形態では、頁単位で低画線キー、間引き対象キーＬｄ１、Ｌｄ２を選定していたが、頁単位で行うほか、例えば、胴単位で行うこととしても良い。胴単位で行う場合には、頁の割り当てに関係なく、隣接するキーが考慮される。例えば、胴単位で行った場合、図１０に示した例では、Ｂ頁（インキキーユニット２０ｂ）のキー番号「１」の低画線キーについては、隣接するキーとして、Ａ頁（インキキーユニット２０ａ）のキー番号「８」およびＢ頁のキー番号「２」が挙げられ、このうちのキー番号「８」については、画線面積率が高画線閾値Ｈ以上であるため、当該キー番号「１」は、間引き対象キーとして選定されないこととなる。このように、頁単位で処理を行うか、胴単位で処理を行うかについては、適宜設定ができるものとする。
【００８９】
また、上述した実施形態では、インキキープリセット装置５０としてハードウェアによる処理を前提としていたが、このような構成に限定される必要はない。例えば、別途ソフトウェアにて処理する構成も可能である。この場合、インキキープリセット装置５０は、ＣＰＵ、ＲＡＭ等の主記憶装置、上記処理の全て或いは一部を実現させるためのプログラムが記録されたコンピュータ読み取り可能な記録媒体を備えている。そして、ＣＰＵが上記記憶媒体に記録されているプログラムを読み出して、情報の加工・演算処理を実行することにより、上述のインキキープリセット装置と同様の処理を実現させる。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００９０】
以下、ＣＰＵがコンピュータ読み取り可能な記録媒体に記録されているインキキープリセットプログラムを実行することにより実現されるインキキープリセットの処理手順について図１７及び図１８を参照して説明する。ここでは、上述と同様、印刷ユニット８ａが備える３２本のインキキーに対してインキキー開度を設定する場合について説明する。
【００９１】
まず、ステップＳＡ１では、「対象頁Ｐ」として、印刷ユニット８ａのインキキーユニット２０ａに割り当てられた頁番号である「Ａ」を設定し、続くステップＳＡ２において、キー番号として、「１」を設定する。次に、ステップＳＡ３にて、対象頁Ｐとして設定したＡ頁の画線面積率情報をメモリ８１から取得する。具体的には、Ａ頁の墨色に対応する画線面積率情報を取得する。続く、ステップＳＡ４にて、キー番号「１」のインキキーが低画線キーであるか否かを判定する。
【００９２】
この結果、低画線キーであった場合には、ステップＳＡ５に進み、隣接するインキキーの少なくとも一方が高画線キーか否かを判定する。ここで、高画線キーとは、画線面積率が高画線閾値Ｈ以上であるインキキーをいう。この結果、隣接するインキキーが高画線キーであった場合には、ステップＳＡ６に進み、当該インキキーを間引き対象キーＬｄ１として選定して、フラグをＬｄ１に設定し、ステップＳＡ７に進む。
一方、ステップＳＡ４において、当該インキキーが低画線キーでなかった場合、ステップＳＡ６において、隣接するインキキーが高画線キーでなかった場合には、ステップＳＡ７に進む。
ステップＳＡ７では、キー番号「Ｎ＝８」であるか否かが判定され、この結果、「Ｎ＝８」でなければ、ステップＳＡ８にて「キー番号Ｎ＝Ｎ＋１」とし、ステップＳＡ４に戻り、上述の処理を繰り返し行う。
【００９３】
これにより、キー番号＝８のインキキーまで上述した処理が終了すると、ステップＳＡ７において、「ＹＥＳ」と判定され、図１８のステップＳＡ９（図１８参照）に進む。
図１８のステップＳＡ９では、上述したフラグの初期化が行われるとともに、続く処理にて用いる連続カウント値Ｃを初期値であるゼロに設定し、更に、ステップＳＡ１０にて、キー番号Ｎを「１」に再セットし、ステップＳＡ１１に進む。
ステップＳＡ１１では、キー番号Ｎのインキキーが低画線キーであるか否かを判定する。この結果、低画線キーでなければ、ステップＳＡ１２に進む。ステップＳＡ１２では、連続カウント値Ｃをリセットし、ステップＳＡ１８に進む。
一方、ステップＳＡ１１において、キー番号Ｎのインキキーが低画線キーであった場合には、ステップＳＡ１３に進む。ステップＳＡ１３では、連続カウント値Ｃを「１」インクリメントし、続くステップＳＡ１４にて、当該インキキーを間引き対象キーＬｄ２として定め、フラグにＬｄ２を設定する。続いて、ステップＳＡ１５にて、連続カウント値Ｃが予め設定されている所定値Ｃｏ（本実施形態では「Ｃｏ＝３」である）以上であるか否かを判断する。この結果、連続カウント値Ｃが所定値Ｃｏ未満であれば、ステップＳＡ１８に進み、一方、所定値Ｃｏ以上であれば、ステップＳＡ１６に進む。
ステップＳＡ１６では、Ｃｏ個連続して存在する間引き対象キーＬｄ２の中から残存キーＬｒを決定する。
【００９４】
このようにして、残存キーＬｒを選定すると、ステップＳＡ１７に進み、連続カウント値Ｃをリセットし、ステップＳＡ１８に進む。ステップＳＡ１８では、キー番号Ｎが８であるか否かを判定する。この結果、「Ｎ＝８」でなければ、ステップＳＡ１９において、キー番号Ｎを「１」インクリメントした後に、ステップＳＡ１１に戻り、上述の処理を繰り返し行う。
【００９５】
一方、ステップＳＡ１８にて、「Ｎ＝８」であった場合には、ステップＳＡ２０に進み、対象頁Ｐとして設定されている「Ａ頁」を印刷するインキキーユニット２０ａについて、各インキキーのインキキー開度を設定する。具体的には、フラグとしてＬｄ１またはＬｄ２が設定されているインキキーについてのインキキー開度をゼロに設定するとともに、それ以外のインキキーについては、各インキキーの画線面積率に応じたインキキー開度を設定する。
【００９６】
このようにして、１頁分のインキキーについてインキキー開度を設定すると、ステップＳＡ２０に進み、対象頁Ｐが最終頁「Ｄ」であるか否かを判定する。この結果、対象頁Ｐが最終頁「Ｄ」でなかった場合には、ステップＳＡ２２において、対象頁Ｐに次の頁「Ｂ」を設定した後に、図１７のステップＳＡ２に戻る。これにより、頁Ｂ、Ｃ、ＤにおいてもステップＳＡ１乃至ステップＳＡ２１を繰り返し実施すると、ステップＳＡ２１にて、対象頁Ｐ＝Ｄであると判定し、当該処理を終了する。
【００９７】
なお、上述した実施形態に係るインキキープリセット装置５０では、例えば、図８に示した第２の選定部８５あるいは、図１８のステップＳＡ１５およびＳＡ１６において、低画線キーが所定数連続して発生した場合に、その中から残存キーＬｒと、間引き対象キーＬｄ２とを選定していたが、これに代えて、連続する低画線キーのインキ過多量を積算し、この積算値が予め設定されている累積閾値以上となった場合に、そこまでの低画線キーの中から残存キーＬｒと間引き対象キーＬｄ２とを選定することとしても良い。
【００９８】
以下、この手法をソフトウェアにて実現する場合のインキキープリセット装置５０の処理手順について図１９を参照して説明する。この手法では、図１７及び図１８に示した一連の処理手順のうち、ステップＳＡ９からステップＳＡ２２の処理に代えて、図１９に示すステップＳＢ９からステップＳＢ２３までの処理を実行するものとする。
【００９９】
まず、図１９のステップＳＢ９では、フラグの初期化が行われるとともに、続く処理にて用いる連続カウント値Ｃ及びインキ過多量の積算値（以下、単に「積算値」という。）Ｋを初期値であるゼロに設定し、更に、ステップＳＢ１０にて、キー番号Ｎを「１」に再セットし、ステップＳＢ１１に進む。
ステップＳＢ１１では、キー番号Ｎのインキキーが低画線キーであるか否かを判定する。この結果、低画線キーでなければ、ステップＳＢ１２に進む。ステップＳＢ１２では、連続カウント値Ｃ及び積算値Ｋをリセットし、ステップＳＢ１９に進む。
【０１００】
一方、ステップＳＢ１１において、キー番号Ｎのインキキーが低画線キーであった場合には、ステップＳＢ１３に進む。ステップＳＢ１３では、まず、キー番号Ｎのインキ過多量ｋを求める。ここで、インキ過多量ｋは、図２０に示すインキ過多量変換特性に基づいて取得される。このインキ過多量変換特性は、横軸に画線面積率をとり、縦軸にインキ過多量をとったものであり、図２３に示した転移量変換特性において、目標インキ量からインキ転移量を引いた特性を示したものである。このようにして、キー番号Ｎのインキ過多量ｋを求めると、求めたインキ過多量ｋを今までの積算値Ｋに加算する。これにより、積算値Ｋを更新する。
【０１０１】
続くステップＳＢ１４では、連続カウント値Ｃを「１」インクリメントし、ステップＳＡ１５にて、当該インキキーを間引き対象キーＬｄ３として定め、フラグにＬｄ３を設定する。続いて、ステップＳＢ１６にて、積算値Ｋが予め設定されている累積閾値Ｋｏ以上であるか否かを判定する。この結果、積算値Ｋが累積閾値Ｋｏ未満であれば、ステップＳＢ１９に進み、一方、累積閾値Ｋｏ以上であれば、ステップＳＡ１７に進む。
ステップＳＡ１７では、現在の連続カウント値Ｃまで連続して存在する間引き対象キーＬｄ３の中から残存キーＬｒを決定し、残存キーとして選定したキーのフラグをＬｄ２からＬｒに変更する。この残存キーＬｒの決定手法については、例えば、中央の低画線キーを選定する手法、画線面積率が最も大きい低画線キーを選定する手法等が挙げられる。
【０１０２】
このようにして、残存キーＬｒを選定すると、ステップＳＢ１８に進み、連続カウント値Ｃ、及び積算値Ｋをリセットし、ステップＳＢ１９に進む。ステップＳＢ１９では、キー番号Ｎが８であるか否かを判定する。この結果、「Ｎ＝８」でなければ、ステップＳＢ２０において、キー番号Ｎを「１」インクリメントした後に、ステップＳＢ１１に戻り、上述の処理を繰り返し行う。
【０１０３】
一方、ステップＳＢ１９にて、「Ｎ＝８」であった場合には、ステップＳＢ２１に進む。ステップＳＢ２１では、対象頁Ｐとして設定されている頁を印刷するインキキーユニットについて、各インキキーのインキキー開度を設定する。具体的には、フラグとしてＬｄ１またはＬｄ３が設定されているインキキーについてのインキキー開度をゼロに設定するとともに、それ以外のインキキーについては、各インキキーの画線面積率に応じたインキキー開度を設定する。このようにして、インキキー開度を設定すると、ステップＳＢ２２に進む。ステップＳＢ２２では、上述のステップＳＡ２１と同様の処理を実施し、続く、ステップＳＢ２３でも上述のステップＳＡ２２と同様の処理を実施して、図１７のステップＳＡ２に戻る。このようにして、上述した一連の処理が繰り返し行われることにより、ステップＳＢ２２にて、対象頁Ｐ＝最終頁であると判定すると、当該処理を終了する。
【０１０４】
なお、上述した実施形態に係るインキキープリセット装置５０において、インキキー開度設定部８６にて設定された各インキキー開度を修正する修正部（修正手段）を更に設けても良い。この修正部では、間引き対象キーＬｄ１、Ｌｄ２、Ｌｄ３としてインキキー開度をゼロに設定した低画線キーの画線面積率に対応する目標インキ量を、当該間引き対象キーに隣接するインキキーの目標インキ量に加算し、この加算後の目標インキ量に対応するインキキー開度に修正する。このように、間引き対象キーに隣接するインキキーのインキキー開度を修正することにより、色調整の精度を更に高めることができる。
【０１０５】
また、上述した実施形態に係るインキキープリセット装置５０では、低画線キーが連続して発生した場合、残存キーＬｒを設定することにより対処していたが、この手法に代えて、各低画線キーのインキキーを開閉制御することによりインキ供給量を調整することとしても良い。以下、詳しく説明する。
【０１０６】
まず、図２に示したように、インキ供給装置１１のインキ壷２９から供給されたインキは、インキ元ローラ２１の周面に転移されたのち、インキ移しローラ２２を介してインキ練りローラ群２３に供給され、インキ練りローラ群２３、インキ揺動ローラ２４、インキ着けローラ２５、版胴１３、ゴム胴１４等の複数のローラを経た後に、絵柄としてウェブＷに転写される。このように、インキがインキ壷から供給され、ウェブＷに達するまでに複数のローラが存在するので、これらのローラによってインキ過多の分がある程度蓄えられることとなる。そこで、ローラに蓄えられている過多分のインキ量が消費されるように、一定期間インキを供給しないインキオフ期間を設けること、換言すると、一定期間インキキー開度をゼロにする期間を設け、インキが供給されるインキオン期間とインキが供給されないインキオフ期間とを周期的に交互に繰り返すことを開閉制御という（図２１参照）。
【０１０７】
このように、低画線キーにおいては、図２１に示すように、各低画線キーの画線面積率に応じたデューティ比（＝インキオン期間／インキオフ期間）で開閉制御を実施することにより、適量のインキをウェブに転写させることが可能となる。開閉制御におけるインキオン期間のインキキー開度は、各低画線キーに応じて変えても良いし、同一の値を用いてもよい。同一の値を用いる場合には、一定のインキ量が転写されるインキキー開度、例えば、図２４に示した開度変換特性における基準値Ｓに対応するインキキー開度を採用するとよい。
【０１０８】
ここで、インキオン期間とインキオフ期間とを繰り返す周期は、インキ壷２９からウェブＷまでのインキ供給経路の長さに基づいて設定することが好ましい。このように、インキ供給経路の長さに基づいて繰返し周期を設定することにより、インキを定常的に供給することが可能となる。また、このような値に繰り返し周期を設定することにより、開閉制御を高い頻度で繰り返すことによるインキキー等の寿命短縮を回避することが可能となるとともに、ウェブＷにインキが全く供給されないという事態を回避することが可能となる。なお、上記インキ供給経路のほかに、印刷速度に応じてインキオン期間とインキオフ期間とを繰り返す周期を設定することとしてもよい。あるいは、これら２つのパラーメータを総合的に評価して、上記周期を設定することとしてもよい。
【０１０９】
また、デューティ比は、図２２に示すような、デューティ比変換特性を用いて決定することが可能である。図２２において、横軸は画線面積率であり、縦軸はデューティ比を示している。また、画線面積率がＳ以下の低画線領域では、画線面積率が高いほど、デューティ比が高い値に設定され、画線面積率がＳ以上の領域では１００％一定となる。
なお、デューティ比は、上述したデューティ比変換特性を用いるほか、以下に示す演算式を用いて求めることとしても良い。
デューティ比＝目標インキ量／インキ転移量＊α      （１）
上記（１）式において、αは所定の係数であり、目標インキ量及びインキ転移量については、図２３に示した転移量変換特性において画線面積率から取得することができる。
【０１１０】
以上説明してきたような、開閉制御は、個々の低画線キーのインキ量を調整できるので、低画線キーの周囲に画線面積率を有するインキキーが存在しないような、孤立した低画線キーに対する制御として特に有効である。
なお、この開閉制御は、低画線キーとして特定された全てのインキキーに対して実施することが可能である。また、上述した間引き調整と組み合わせて、間引き対象キーＬｒ２、Ｌｒ３として選定されたインキキーに対してのみ実施することも可能である。
【０１１１】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【０１１２】
【図１】本発明の一実施形態に係る輪転印刷機の概略構成を示した図である。
【図２】インキ供給装置を示す図であり、インキ供給装置から版胴までのインキ供給に係る構成を示す模式的な側面図である。
【図３】インキ供給装置を示す図であり、ウェブとインキキーユニットの関係を示す図である。
【図４】インキ供給装置を示す図であり、インキキーユニットの概略構成を示す図である。
【図５】インキ供給装置を示す図であり、インキキー開度を調整するインキキー開度調整装置の概略構成を示す図である。
【図６】インキ着けローラからゴム胴までのインキ供給に係る構成を示す模式的な側面図である。
【図７】図１に示した輪転印刷機を制御する制御システムのネットワーク構成を示す図である。
【図８】図７に示したインキキープリセット装置の概略構成を示したブロック図である。
【図９】図８に示したインキキープリセット装置の作用を説明するための図であり、Ａ頁、Ｂ頁の絵柄の一例を示した図である。
【図１０】図８に示したインキキープリセット装置の作用を説明するための図であり、Ａ頁、Ｂ頁の画線面積率情報の一例を示した図である。
【図１１】図８に示したインキキープリセット装置の作用を説明するための図であり、Ａ頁、Ｂ頁の印刷に割り当てられた各インキキーのインキキー開度の一例を示した図である。
【図１２】図７に示した制御装置の概略構成を示すブロック図である。
【図１３】操作パネルに表示される状態表示画面の一例を示した図である。
【図１４】操作パネルに表示される開度一覧画面の一例を示した図である。
【図１５】操作パネルに表示される特性変更画面の一例を示した図である。
【図１６】操作パネルに表示される基本設定画面の一例を示した図である。
【図１７】本発明の一実施形態に係るインキキープリセット装置により実現される処理手順を示すフローチャートである。
【図１８】本発明の一実施形態に係るインキキープリセット装置により実現される処理手順を示すフローチャートである。
【図１９】本発明の他の実施形態に係るインキキープリセット装置により実現される処理手順を示すフローチャートである。
【図２０】インキ過多量変換特性の一例を示す図である。
【図２１】開閉制御を説明するための図である。
【図２２】デューティ比変換特性の一例を示す図である。
【図２３】転移量変換特性の一例を示す図である。
【図２４】開度変換特性の一例を示す図である。
【符号の説明】
【０１１３】
１  輪転印刷機
８ａ乃至８ｈ  印刷ユニット
２０  インキキーユニット
２１  インキ元ローラ
２６ａ乃至２６ｈ  インキキー
３０  インキキー開度調整装置
３３  モータ
３５  制御装置
３６  リモートＣＰＵ
３７  印刷ユニット制御装置
３８  ローカルＣＰＵ
５０  インキキープリセット装置
５２  上位装置
６０  操作パネル
８１  メモリ
８２  取得部
８３  特定部
８４  第１の選定部
８５  第２の選定部
８６  インキキー開度設定部
８７  通信部
【図１】
2007203509.tif 000003
【図２】
2007203509.tif 000004
【図３】
2007203509.tif 000005
【図４】
2007203509.tif 000006
【図５】
2007203509.tif 000007
【図６】
2007203509.tif 000008
【図７】
2007203509.tif 000009
【図８】
2007203509.tif 000010
【図９】
2007203509.tif 000011
【図１０】
2007203509.tif 000012
【図１１】
2007203509.tif 000013
【図１２】
2007203509.tif 000014
【図１３】
2007203509.tif 000015
【図１４】
2007203509.tif 000016
【図１５】
2007203509.tif 000017
【図１６】
2007203509.tif 000018
【図１７】
2007203509.tif 000019
【図１８】
2007203509.tif 000020
【図１９】
2007203509.tif 000021
【図２０】
2007203509.tif 000022
【図２１】
2007203509.tif 000023
【図２２】
2007203509.tif 000024
【図２３】
2007203509.tif 000025
【図２４】
2007203509.tif 000026